(57)【要約】　　　（修正有）【課題】取り外しやすいことや組立てやすいことや交換しやすいことや高安定性などの特性を有するランプ固着構造を備えるバック・ライト・ユニットを提供する。【解決手段】両側壁部３１を有するベース３と、前記ベースに配置される発光部材４とを備えるバック・ライト・ユニットにおいて、前記ベースにおけるそれぞれの側壁部にそれぞれ切り欠き３１１を有し、且つ前記発光部材には、ランプ４１と、前記ランプの両端部に接続される二本の電気コード４４と、前記ランプの両端部につけられる二つのカバー４２と、前記カバーに形成される凸部４３と、前記それぞれの凸部に形成される溝部４３１とを有し、且つ前記溝部が前記切り欠きに対応するように形成され、前記凸部が前記溝部によって前記切り欠き内に嵌め込まれる。【選択図】　　　図４
0003097884.tif 000002
【実用新案登録請求の範囲】
【請求項１】
両側壁部を有するベースと、前記ベースに配置される発光部材とを備えるバック・ライト・ユニットにおいて、
前記ベースにおけるそれぞれの側壁部にそれぞれ切り欠きを有し、
且つ前記発光部材には、ランプと、前記ランプの両端部に接続される二本の電気コードと、前記ランプの両端部につけられる二つのカバーと、前記カバーに形成される凸部と、前記それぞれの凸部に形成される溝部とを有し、且つ前記溝部が前記切り欠きに対応するように形成され、前記凸部が前記溝部によって前記切り欠き内に嵌め込まれることを特徴とするランプ固着構造を有するバックライトユニット。
【請求項２】
前記ランプとしてコールド・カソード蛍光ランプを採用することを特徴とする請求項１に記載のランプ固着構造を有するバックライトユニット。
【請求項３】
前記ランプとしてホット・カソード蛍光ランプを採用することを特徴とする請求項１に記載のランプ固着構造を有するバックライトユニット。
【請求項４】
前記カバーは円柱形に形成されると共に、その上における凸部が矩形塊状に形成され、且つ前記切り欠きが矩形に形成されることを特徴とする請求項１に記載のランプ固着構造を有するバックライトユニット。
【請求項５】
前記凸部が前記カバーに環状になるように配列設定される矩形塊状に形成されるものであることを特徴とする請求項１に記載のランプ固着構造を有するバックライトユニット。
【請求項６】
前記凸部が前記カバーに環状になるように配列設定される突出リング状に形成されるものであることを特徴とする求項１に記載のランプ固着構造を有するバックライトユニット。
【考案の詳細な説明】
【０００１】
【考案の属する技術分野】
本考案は、ランプ固着構造を有するバック・ライト・ユニットに係わり、特に液晶表示パネルやスキャナーやファクシミリーやコマーシャル・ランプ・ボックスや芸術照明手段などの電子製品内に応用され、取り外しやすいことや組立てやすいことや交換しやすいことや高安定性などの特性を有するランプ固着構造を備えるバック・ライト・ユニットに関する考案である。
【０００２】
さて、高明るさや高効率や低消耗電力や長点灯寿命や小型や軽量や低発熱量などの優れた点を有するため、目前では、コールド・カソード蛍光ランプ（ＣＣＦＬと略称される）が広範的に液晶表示パネルやスキャナーやファクシミリーやコマーシャル・ランプ・ボックスや芸術照明手段などの電子製品のバック・ライト・ユニット内に応用され、当該バック・ライト・ユニットに前記それぞれの電子製品の所要する光線品質を生成させることができる。
【０００３】
図１と図２と図２Ａに示す従来のバック・ライト・ユニットに示すように、それには、ベース１と発光部材２とを含み、ベース１には二つの側壁部１１を有し、それぞれの側壁部１１に穿孔１１１と外方へ突出されるフランジ１１２（図２Ａ参照）を有し、且つ発光部材２にはランプ２１とランプ２１の両端部に接続される電気コード２３とランプ２１の両端部につけられる二つの軟質のカバー２２とを有し、それぞれの軟質のカバー２２の対応する内端部にそれぞれ図２Ａに示すようなスリット２２１が保留され、ランプ２１が両側壁部１１間の穿孔１１１内に差し込まれ、且つそれぞれの側壁部１１におけるフランジ１１２が前記それぞれの軟質のカバー２２のスリット２１１内に挿入され、それらによって発光部材２のランプ２１を固着する。ランプ２１として前記のようなコールド・カソード蛍光ランプ（ＣＣＦＬ）を使用できる。
【０００４】
前記の従来のバック・ライト・ユニットがランプを固着する機能を有するが、依然として次のような多くの欠点を有する。即ち、
一、面倒である：図２と図２Ａに示すように、発光部材２の軟質のカバー２２がフルにランプ２１の両端につけられる場合に、フランジ１１２がスリット２２１内に挿入されることができるが、二つの軟質のカバー２２の間の距離が二つのフランジ１１２の自由端間の距離より小さく形成されるので、フランジ１１２がスリット２２１に挿入される場合に不便さと面倒さを招く。
【０００５】
二、不安定的である：発光部材２のランプ２１が単に二つのフランジ１１２を二つの軟質のカバー２２におけるスリット２２１内に挿入されることによって固着され、二つのスリット２２１の大きさは容易に各種の原因により拡大されまたは弛むようになってしまい、そのため、固着品質に弛みを生じやすくなり、前記の電子装置の要求する光線品質に悪影響を及ぼすことがある。
【０００６】
三、交換が困難である：発光部材２が図２に示すように固着される後に、ランプ２１が壊れたり故障したりすることを生じる場合、二つの軟質のカバー２２が既にランプ２１の両端部に粘着固定されるため、発光部材２を取り外しにくくなり、発光部材２を交換しにくくなる。
【０００７】
【考案が解決しようとする課題】
本考案は、バック・ライト・ユニットにおいてはランプ固着用の構造を有するほかに、そのランプ固着構造は取り外しと取り付けが容易に実行できる効果と、便利さを有しつつ、交換しやすく、組立後に極めて穏やかであるなど効果をさらに有することを特徴とするランプ固着構造を有するバック・ライト・ユニットを提供することをその主要な目的とする。
【０００８】
【課題を解決するための手段】
前記の目的を図るために、本考案は、両側壁部を有するベースと、前記ベースに配置される発光部材とを備えるバック・ライト・ユニットにおいて、前記ベースにおけるそれぞれの側壁部にそれぞれ切り欠きを有し、且つ前記発光部材には、ランプと、前記ランプの両端部に接続される二本の電気コードと、前記ランプの両端部につけられる二つのカバーと、前記カバーに形成される凸部と、前記それぞれの凸部に形成される溝部とを有し、且つ前記溝部が前記切り欠きに対応するように形成され、前記凸部が前記溝部によって前記切り欠き内に嵌め込まれる、ランプ固着構造を有するバックライトユニットを提供する。
【０００９】
以下に添付図面を参照しながら本考案の好適な実施の形態を詳細的で具体的に説明する。
【００１０】
【考案の実施の形態】
図３ないし図５に示すように、本考案によるランプ固着構造を有するバックライトユニットには、ベース３と発光部材４とを備え、ベース３には二つの側壁部３１を有しつつ、それぞれの側壁部３１には切り欠き３１１を有する。
【００１１】
発光部材４には、ランプ４１と、ランプ１の両端部に接続される二本の電気コード４４と、ランプ４１の両端部につけられる二つのカバー４２と、カバー４２に形成される凸部４３と、凸部４３に形成される溝部４３１とを備え、それぞれの凸部４３における溝部４３１が切り欠き３１１に対応しており、凸部４３を溝部４３１を介して切り欠き３１１内に嵌めこみ、凸部４３を切り欠き３１１内に位置決め、それらの処置によってランプ４１または発光部材４全体を穏やかにベース３の両側壁部３１の間に固定する。
【００１２】
図４と図５に示すように、それぞれの凸部４３が溝部４３１を介してベースの側壁部３１の切り欠き３１１内に嵌め込まれ、溝部４３１と切り欠き３１１の間に生じられる滑り嵌め込み効果（緊密的合せる状態では、“滑り嵌め込み効果”である）によって本考案の安定性が好ましい効果と位置決めが好ましい効果を生成するほか、発光部材４を交換しやすい効果を兼ねて有するようになる。
【００１３】
そのうち、カバー４２として円柱形物を採用でき、それらのカバー４２における凸部４３が矩形塊状またはカバー４２に環状に配列設定される突出環状に形成され、切り欠き３１１も矩形の切り欠きに形成され、且つ切り欠き３１１の内径が凸部４３の外径より小さく形成され、それらの処置によって凸部４３を溝部４３１を介して直接的に且つ便利的に切り欠き３１１内に嵌め込むことができる。
【００１４】
本考案の発光部材４として使用されるランプ４１が、高明るさや高効率や低消耗電力や長点灯寿命や小型や軽量や低発熱量などの優れた点を有するコールド・カソード蛍光ランプ（ＣＣＦＬ）またはホット・カソード蛍光ランプまたは他の形式のランプを採用でき、また、ランプ４１の形状は直管状に形成されるほか、Ｕ字形状または他の形状に形成されるランプを採用できる。本考案によるバック・ライト・ユニットは液晶表示パネルやスキャナーやファクシミリーやコマーシャル・ランプ・ボックスや芸術照明手段などの電子製品内に応用されることができる。
【００１５】
【考案の効果】
本考案は前記の構成を有するので、少なくとも次のような優れた点を有する。一、取り外し及び取り付けが実施しやすい：本考案は、溝部４３１を有する凸部４３を利用して直接的にベース３の切り欠き３１１内に嵌め込むことができ、且つ溝部４３１と切り欠き３１１の間の“滑り嵌めこむ効果”によって取り付ける場合や取りはジス場合を問わず、すべて容易的で便利的に実行できる効果を有する。
二、発光部材４が組立後に安定性が極めて優れる：本考案の発光部材４が凸部４３の溝部４３１によって切り欠き３１１内に緊密的に嵌め込まれ、且つ溝部４３１と切り欠き３１１との間の“滑り嵌めこむ効果”によって弛むことを生じにくい目的を図れ、優れた安定性を有するように設定できる。
三、交換に利する：本考案は前記点一に述べた効果を有するので、発光部材４を交換しやすい効果を有する。
【図面の簡単な説明】
【図１】従来のランプ固着構造を示す斜視図である。
【図２】従来のランプ固着構造を示す断面図である。
【図２Ａ】図２の従来物の一部拡大図である。
【図３】本考案を示す分解斜視図である。
【図４】本考案の図３による組立斜視図である。
【図５】本考案の図４による断面図である。
【符号の説明】
３　　　ベース
４　　　発光部材
３１　　側壁部
４１　　ランプ
４２　　カバー
４３　　凸部
４４　　電気コード
３１１　切り欠き
４３１　溝部
【図１】
0003097884.tif 000003
【図２】
0003097884.tif 000004
【図２Ａ】
0003097884.tif 000005
【図３】
0003097884.tif 000006
【図４】
0003097884.tif 000007
【図５】
0003097884.tif 000008